(57)【要約】【課題】  低静圧で処理効率が向上し、排気ファンの小型・省力化も期待でき、更にはメンテナンスにも配慮した厨房用排気方法及びその装置を提供せんとする。【解決手段】  前面２に流入路３が下向きに設定された整流ガイド４を備え、前記整流ガイド４との間に空間５を設けてフィルター６を設置する。前記空間５内の上部に下方に向けて前記空間５内に噴射する霧状水噴射器７を装置する。前記フィルター６の後部に上方へ吸引排気する排気路８を設ける。前記空間５において、油煙９Ａと下方に向けて噴射した霧状水１０と混合し、吸い上げられ撹拌されて油脂分を含有する水滴と成り、フィルター６により油脂分を含有する水滴は分離下落させて排水し、排気煙９Ｂはフィルター６を通過して上方へ吸引排気する。【選択図】  図３
2015215098.tif 000002
【特許請求の範囲】
【請求項１】
流入路が下向きに設定された整流ガイドから吸引した油煙を、フィルターとの間に設けた空間において、下方に向けて噴射した霧状水と混合し、吸い上げられながら撹拌されて油脂分を含有する水滴と成り、フィルターにより油脂分を含有する水滴は分離下落させて排水し、排気煙はフィルターを通過して上方へ吸引排気することを特徴とする厨房用排気方法。
【請求項２】
前面に流入路が下向きに設定された整流ガイドを備え、前記整流ガイドとの間に空間を設けてフィルターを設置し、前記空間内の上部に下方に向けて前記空間内に噴射する霧状水噴射器を装置し、前記フィルターの後部に上方へ吸引排気する排気路を設け、前記空間において、油煙と下方に向けて噴射した霧状水と混合し、吸い上げられながら撹拌されて油脂分を含有する水滴と成り、フィルターにより油脂分を含有する水滴は分離下落させて排水し、排気煙はフィルターを通過して上方へ吸引排気することを特徴とする厨房用排気装置。
【請求項３】
フィルターが、断面視を略く字状に、吸気口側から排気口側へと屈曲した通風経路が複数並設して構成されていることを特徴とする請求項２に記載の厨房用排気装置。
【発明の詳細な説明】
【技術分野】
【０００１】
本発明は、油煙等の排気中に含まれる粒子（ミスト状態のものも含まれる）を捕捉するための排気方法及びその装置に関するもので、特に厨房などで発生する油脂分やダストを捕捉するために適するものである。
【背景技術】
【０００２】
従来、厨房などで発生する油煙等の排気中に含まれる油脂粒子を捕捉するために水を利用した方法が知られている。
一つとして、単純に水や霧状水をフィルターに吹き付ける方法、貯水した水を排気と共に吸い上げてバブリング現象を起こし、排気中に含まれる分散粒子のみを補足除去する方法、パンチングパネル上へ給水した水が負圧状態でバブリングを起こさせて水膜をつくり、排気が通過する時に噴水状態に成ると共に水と接触させて油脂と臭いを補足する方法等が知られている。
【０００３】
また、断面視概略く字状をした通風経路を有し、吸気側の通風経路と排気側の通風経路及び吸気側から排気側へ風向きを変える中間のコーナ通風経路とで構成されるグリスフィルターが知られている。
この屈曲径路を構成したグリスフィルターは、その径路を排煙が通過する時に発生する遠心力によって油脂粒子を分離し、遠心力により油脂粒子が飛ばされる方向の外周側壁に油脂粒子を衝突させ、油脂分を凝集させて捕捉するものである。
【先行技術文献】
【特許文献】
【０００４】
【特許文献１】特開平０７−１００３１８号公報
【特許文献２】特開平１０−２１６４４７号公報
【特許文献３】特開２００４−１３０２５７号公報
【特許文献４】特開２００５−１４４２０８号公報
【特許文献５】特開２００５−２６２０６８号公報
【発明の概要】
【発明が解決しようとする課題】
【０００５】
上記の従来のように、単純に水や霧状水を吹き付ける衝突除去方式のフィルターの場合では、水はフィルターを通り抜け、水が跳ね上がり、ダクト内等の水漏れを引き起こす問題がある。
即ち、衝突時に水と油が混じって飛び散り、隙間をスル―し、水滴が集まり大きくなることにより、水滴の跳ね上がりやダクト等の汚れの原因となり、排気効率が悪くなる。
また、フィルターの内側（排煙が通過した側）で霧状水を吹き付けても、当該フィルターの汚れは避けられず、更に水滴飛散防止用のフィルターの設置が必要でコスト高となる。
【０００６】
また、水の過流バブリングを通過させる方法は、水槽を装置内に設けること、バブリング現象を起こさせるための大きな負荷を発生させる排気ファンが必要となること、また使用水量が嵩む等の問題があり、バブリングで飛び散った油脂等を含んだ水滴はメッシュタイプの２次フィルターで補足する必要もあり、排気効率やフィルターの目詰まりの問題も生じる。
【０００７】
さらに、パンチングパネル上に給水した水にバブリングを起こす方法は、バブリング現象を起こすための排気ファンに相当の能力が要求され、バブリングで飛び散った油脂等を含んだ水滴はメッシュタイプの２次フィルターで補足するもので、パンチパネル自体及び２次フィルターの目詰まりやメンテナンスは避けられないものである。
【０００８】
そこで、低静圧で処理効率が向上し、排気ファンの小型・省力化も期待でき、更にはメンテナンスにも配慮した厨房用排気方法及びその装置を提供せんとするものである。
【課題を解決するための手段】
【０００９】
本発明の厨房用排気方法は、流入路が下向きに設定された整流ガイドから吸引した油煙を、フィルターとの間に設けた空間において、下方に向けて噴射した霧状水と混合し、吸い上げられて撹拌され油脂分を含有する水滴と成り、フィルターにより油脂分を含有する水滴は分離下落させて排水し、排気煙はフィルターを通過して上方へ吸引排気することを特徴とするものである。
【００１０】
また、本発明の厨房用排気装置は、前面に流入路が下向きに設定された整流ガイドを備え、前記整流ガイドとの間に空間を設けてフィルターを設置し、前記空間内の上部に下方に向けて前記空間内に噴射する霧状水噴射器を装置し、前記フィルターの後部に上方へ吸引排気する排気路を設け、前記空間において、油煙と下方に向けて噴射した霧状水と混合し、吸い上げられ撹拌されて油脂分を含有する水滴と成り、フィルターにより油脂分を含有する水滴は分離下落させて排水し、排気煙はフィルターを通過して上方へ吸引排気することを特徴とするものである。
【００１１】
上記厨房用排気装置において、フィルターが、断面視を略く字状に、吸気口側から排気口側へと屈曲した通風経路が複数並設して構成されるものであってもよい。
【発明の効果】
【００１２】
本願発明は、噴射した霧状水と油煙を混合させ、油脂分を含有する水滴としてフィルターで分離下落させて排水するため、煙と臭気を充分に補足できる効果を有する。
また、フィルターに付着する油脂等は霧状水や水滴で洗い流すことになるためフィルターの清掃が殆ど必要なくなり、排気ファンも小型化できて騒音も小さくなる効果を発揮するものである。
【００１３】
排気煙を、噴射した霧状水と混合させるため排気温度が下がり、ダクト内火災や火災発生時の延焼を防止し、排気温度が低いため外気への影響も少なく、通行人の不快感や、外壁の汚れの防止し、環境に優しい効果を発揮する。
【図面の簡単な説明】
【００１４】
【図１】本発明の排気装置の一実施の形態を示す縦断側面図である。
【図２】本発明の排気装置の一実施の形態を示す幕板を除いた正面図である。
【図３】本発明の排気装置の排気煙の流れを示す説明図である。
【図４】本発明の排気装置の整流ガイドの実施例を示す斜視図である。
【図５】本発明の排気装置の側板の実施例を示す斜視図である。
【図６】本発明の排気装置のフィルターの実施例を示す斜視図である。
【図７】本発明の排気装置のフィルターの排気煙の流れを示す説明図である。
【図８】本発明の排気装置の霧状水噴射器の実施例を示す斜視図である。
【図９】本発明の排気装置のドレンパンの実施例を示す斜視図である。
【発明を実施するための形態】
【００１５】
本発明の実施の形態を図面に基づいて説明する。
図１は本発明の一実施の形態を示す縦断側面図であり、図２は同正面図である。
本発明の厨房用排気装置１は、前面２に流入路３が下向きに設定された整流ガイド４を備え、前記整流ガイド４との間に空間５を設けてフィルター６を設置し、前記空間内５の上部に下方に向けて前記空間内に噴射する霧状水噴射器７を装置し、前記フィルター６の後部に上方へ吸引排気する排気路８を設けたものである。
【００１６】
前記空間５において、油煙９Ａと下方に向けて噴射した霧状水１０とが混合し、吸い上げられ撹拌されて油脂分を含有する水滴と成り、フィルター６により油脂分を含有する水滴は分離下落して排水され、排気煙９Ｂはフィルター６を通過して上方へ吸引排気されるものである（図３）。
【００１７】
整流ガイド４は整流枠４１に後方へ下向きに傾斜させ、上下方向に平行に並設され、整流ガイド４間に流入路３を形成する（図４）。
一方、厨房用排気装置１の側板１１には、前面２の端部に、後方へ下向きに傾斜した受金具１２が設けられ、この受金具１２に整流枠４１が渡設されて厨房用排気装置１の前面２を構成している。
【００１８】
したがって、後方（フィルター６側）へ下向きに傾斜した整流ガイド４は、更に傾斜した状態となり、調理台から上昇した油煙９Ａを厨房用排気装置１内へ下方に向けて引き込むことになる。
整流枠４１を受金具１２に渡設した状態で、整流ガイド４が後方（フィルター６側）へ下向きに傾斜するように、整流ガイド４と整流枠４１及び受金具１２との関係する角度を設定するものである。
【００１９】
側板１１には前記受金具１２と間隔をおいて、フィルター受金具１３が平行に設置してあり（図５）、このフィルター受金具１３にフィルター６が取り付けられる。
したがって、整流ガイド４の後方の厨房用排気装置１内に空間５を形成してフィルター６が平行に設置されている。
【００２０】
整流ガイド４とフィルター６との間に形成された空間５の上部には、霧状水噴射器７が装置され（図８）、噴射ノズル７１から空間５内へ下方に向けて、空間５の傾斜角度に沿って霧状水１０が噴射される。
したがって、整流ガイド４から空間５内へ下方に向けて引き込まれた油煙９Ａに上方から霧状水１０を吹き付けて油脂粒子と付着して混合するものである。
また、空間５内に下方への気流を生じさせることにより油煙９Ａの引き込みに資するものである。
【００２１】
フィルター６は、吸気口側と排気口側とが略く字状に屈曲した通風路を複数並設したもので、表裏のカバー材６４，６５で中間板材６６を挟着して本体を構成し、表側（空間５側）となるカバー材６４の開口部を吸気口とし、裏側（排気路８側）となるカバー材６５の開口部を排気口とし、吸気口側の通風路６１と排気口側の通風路６２とは略く字状に配置されている。
一方、中間板材６６には、上下方向に一定間隔で窓孔を設けてコーナ通風経路６３とし、対向する両通風路６１、６２に対応して両通風路を連通している。
【００２２】
したがって、フィルター６は、本実施の形態では縮流除去方式の構成を成し、断面視概略く字状をした通風経路を有し、吸気側の通風経路６１と排気側の通風経路６２、及び吸気側から排気側へ風向きを変える中間のコーナ通風経路６３とで構成され、その径路を通過する時に発生する遠心力によって油脂等粒子を分離し、飛ばされる方向の外周側壁に油脂等粒子を衝突凝集させて捕捉するものである（図６、図７）。
【００２３】
そして、フィルター６の後方には排気路８が上方へ向けて設置され、排気ファン（図示せず。）により装置内への油煙９Ａの吸引及び排気を促すものである。
【００２４】
そこで、上記の各構成により、油煙９Ａが整流ガイド４から空間５内に下方へ向けて流入し、流入した油煙９Ａに上方から霧状水噴射器７の霧状水１０を吹き付け、油脂等粒子と霧状水１０とが付着すると共に、排気ファンによって負圧となる排気側に位置するフィルター６へ吸い上げられ恰好で撹拌されて導かれる。
【００２５】
油脂等粒子と霧状水１０とが付着して質量が増加した状態で、縮流タイプのフィルター６を通過する際に縮流を起こすと同時に、気流がＶターンをして通過する排気煙９Ｂから慣性分離し、フィルター６の内壁面に衝突して油脂等粒子を含んだ霧状水１０が内壁面に付着し、凝集して水滴と成って流下する。
一方、油脂粒子等が除かれ清浄となった排気煙９Ｂはてフィルター６を通過して排気路８により上方へ吸引排気されるものである。
【００２６】
空間５において、流入した油煙９Ａの油脂等粒子と霧状水１０が付着すると共に、排気側のフィルター６へ吸い上げられ撹拌されて導かれる際に凝集して水滴と成って流下し、また、当該水滴や霧状水１０が整流ガイド４に付着しても、空間５側へ傾斜しているため空間５内に流下し、或いは、霧状水１０がフィルター６に付着しても水滴となって流下し、慣性分離してフィルター６の内壁面に付着した油脂等粒子を含んだ霧状水１０が凝集した水滴も流下し、底面の水抜き孔より排水され、空間５の下端に設けたドレンパン１４で受けて貯留し、装置外へ排水される。
【００２７】
したがって、霧状水１０が整流ガイド４の流入路３や前面２から装置外へ放出されることはなく、排気煙は噴射した霧状水１０と接して冷やされるため排気煙の温度は低下し、ダクト内火災や火災発生時の延焼を防止し、排気温度が低いため外気への影響も少なく、通行人への不快感や外壁の汚れを防止し、環境に優しいものとなる。
【００２８】
本実施の形態ではフィルター６を縮流除去方式で説明したけれど、他の構成を有する縮流除去方式や衝突除去方式であっても良く、整流ガイド４やフィルター６の水滴付着面部に親水性の塗料をコーティングしておけば、流水作用を促進し、流水による洗浄作用も期待できる。
【００２９】
以上、本発明を実施の形態を図面に基づき具体的に説明したが、本発明は上記の実施形態に限定されるものではなく、発明の思想を逸脱することない範囲の他の実施の形態にも適用可能である。
【符号の説明】
【００３０】
１                厨房用排気装置
２                前面
３                流入路
４                整流ガイド
５                空間
６                フィルター
７                霧状水噴射器
８                排気路
９Ａ              油煙
９Ｂ              排気煙
１０              霧状水
１１              側板
１２              受金具
１３              フィルター受金具
１４              ドレンパン
６１、６２、６３  通風経路
７１              噴射ノズル
【図１】
2015215098.tif 000003
【図２】
2015215098.tif 000004
【図３】
2015215098.tif 000005
【図４】
2015215098.tif 000006
【図５】
2015215098.tif 000007
【図６】
2015215098.tif 000008
【図７】
2015215098.tif 000009
【図８】
2015215098.tif 000010
【図９】
2015215098.tif 000011